(57)【特許請求の範囲】
【請求項１】
被写体を撮像し、画像データを得るための撮像手段を有する第１のユニットおよび第２のユニットとを有し、前記第１のユニットと前記第２のユニットとを互いに分離することが可能な撮像装置であって、
前記第１のユニットに取り付けられた第１の画像処理手段と
前記第２のユニットに取り付けられた第２の画像処理手段とを有し、
一体の状態において前記撮像が行われた場合、前記第１の画像処理手段が前記画像データに対して第１の画像処理を実行し、前記第２の画像処理手段が前記画像データに対して前記第１の画像処理とは異なる第２の画像処理を実行し、
分離の状態において前記撮像が行われた場合、前記第１の画像処理手段が前記画像データに対して前記第２の画像処理を実行することを特徴とする撮像装置。
【請求項２】
前記第１の画像処理は可逆圧縮処理であり、前記第２の画像処理は非可逆圧縮処理であることを特徴とする請求項１に記載の撮像装置。
【請求項３】
前記第２のユニットは前記画像データを表示する表示手段を含み、
前記第２の画像処理は、前記画像データを前記表示手段に表示可能にするための処理であることを特徴とする請求項１に記載の撮像装置。
【請求項４】
前記第２の画像処理が行われた画像データは、前記第１の画像処理が行われた画像データよりもデータのサイズが小さいことを特徴とする請求項１に記載の撮像装置。
【請求項５】
前記撮像装置は、前記第１の画像処理が行われた画像データと前記第２の画像処理が行われた画像データとをそれぞれ別のデータとして記憶することを特徴とする請求項１に記載の撮像装置。
【請求項６】
前記第１のユニットは、前記第２のユニットとの通信を制御する通信制御手段をさらに有し、
前記通信制御手段は、分離状態では前記第２の画像処理を施された画像データを前記第２のユニットに送信することを特徴とする請求項１に記載の撮像装置。
【請求項７】
被写体を撮像し、画像データを得るための撮像手段を有する第１のユニットおよび第２のユニットとを有し、前記第１のユニットと前記第２のユニットとを互いに分離することが可能な撮像装置であって、
前記第１のユニットに取り付けられた第１の画像処理手段と、
前記第２のユニットに取り付けられた第２の画像処理手段とを有し、
一体の状態において連続して撮像が行われた場合、第１の画像処理手段が前記撮像により連続して得られる複数の画像データのうち何枚かに対し画像処理を行い、第２の画像処理手段が他の画像データに対し前記画像処理を行い、
分離の状態において連続して撮像が行われた場合、前記第１の画像処理手段は前記撮像により連続して得られる複数の画像データのそれぞれに対して前記画像処理を実行することを特徴とする撮像装置。
【請求項８】
被写体を撮像し、画像データを得るための撮像手段を有する第１のユニットおよび第２のユニットとを有し、前記第１のユニットと前記第２のユニットとを互いに分離することが可能な撮像装置の制御方法であって、
前記第１のユニットで実行される第１の画像処理工程と
前記第２のユニットで実行される第２の画像処理工程とを有し、
一体の状態において前記撮像が行われた場合、前記第１の画像処理工程で前記画像データに対して第１の画像処理を実行し、前記第２の画像処理工程で前記画像データに対して前記第１の画像処理とは異なる第２の画像処理を実行し、
分離の状態において前記撮像が行われた場合、前記第１の画像処理工程で前記画像データに対して前記第２の画像処理を実行することを特徴とする撮像装置。
【発明の詳細な説明】
【技術分野】
【０００１】
本発明はワイヤレス通信での画像転送を可能としたデジタルカメラシステムに関するものであり、特に実際の撮影を司るカメラ本体部と撮影画像の確認及び各種カメラ設定を司るモニター表示部が分離可能な状態で使用出来るようにしたものである。
【背景技術】
【０００２】
従来デジタルカメラ等で撮影した画像を、ダイレクトで無線ＬＡＮ等のワイヤレス通信部を介して送信する場合には、以下に示すような方法で転送を行っていた。
【０００３】
図１６は従来の方法におけるカメラ１０１の内部システム構成図を示したものであり、バッテリー１１４及び電源制御回路１１５はシステム全体の電源供給を行う為のものである。
【０００４】
撮影者がカメラのレリーズ釦の操作を行うと、カメラＳＷ１０３の状態変化をカメラ制御部１０２が検出してカメラ撮影制御を開始する。
【０００５】
撮像素子１０４で撮像した撮影画像は、プロセッサー１０５を介して一旦バッファメモリー１０７へ記憶する。次にプロセッサー１０５はこのバッファメモリー１０７へ記憶した画像を順次読み出して所定の画像処理（マトリックス処理、γ変換、ＪＰＥＧ変換等）を行う。そして画像処理を施した画像をカメラ内部の不揮発性メモリー１０６、若しくはカメラに外部的なカードを接続する為のカードＩ／Ｆ１０８を介してメモリーカード１０９へ書き込み、記憶する。
【０００６】
一方、撮影者が撮影した画像を確認する場合には、通常カメラの背面部にあるモニター部（ＴＦＴ液晶画面等）１１３を使用する。この際、撮影者がモニター部１１３の横に配置してあるモニターＳＷ１１２を操作する事で、モニター部１１３に各種画面が表示される。この画面を通じて撮影者は必要な表示画像を閲覧したり、メニュー画面を表示させてカメラの各種パラメーターの設定（撮影画像のサイズやモード、現像パラメーター等の設定）等を行う。
【０００７】
又、この画像処理を施した画像データを、無線ＬＡＮ等のワイヤレス通信部を介して外部のネットワーク若しくはＰＣ（パーソナルコンピュータ）等へ転送することも可能である。この場合には、上記プロセッサー１０５は上記カメラ内部にある不揮発性メモリー１０６若しくはメモリーカード１０９に記憶してある画像を読み出す。そしてプロセッサー１０５内部でネットワーク系へ転送する為の各種通信プロトコル処理を行い、ワイヤレス通信手段１１０及び専用アンテナ１１１を介して外部のＰＣ１１６に対して画像を転送する。
【０００８】
ここでワイヤレス通信手段の内部は、ネットワークプロトコルレベルにおけるＭＡＣ層での通信手順を制御するＭＡＣ部と、実際にデータを変調して所定の周波数帯域の信号に変換するＰＨＹ部から構成されている。一般的なワイヤレスＬＡＮの規格を例にとると、８０２．１１ｂ／ｇでは２．４ＧＨｚ帯、８０２．１１ａでは５ＧＨｚ帯の信号に変換する。
【０００９】
従来から、カメラとモニター部が分離してカメラでの撮影画像あるいは再生画像をワイヤレス通信でやり取りする方法が提案されている。例えば、ビデオカメラで撮影した画像をワイヤレス通信で遠隔にあるモニター部が受信し、表示すると共に、モニター部からの操作をワイヤレス通信でビデオカメラ本体へ送信し、遠隔制御する方法が開示されている（例えば、特開平８−２０５０１６号公報）。
【００１０】
また、ビデオカメラのカメラ撮像部と、撮影画像を表示するモニター部を含む記録部が分離可能な構成となっており、画像をカメラ撮像部から記録部にワイヤレス通信で伝送する方法も提案されている。この提案件では撮像部で撮像した画像をモニター部を含む記録部にワイヤレス通信で伝送した上で、記録部内の所定メディア（この場合磁気テープ）に記録する方法が開示されている（例えば、特開平９−２６１５１９号公報）。
【００１１】
更にデジタルカメラ撮像部と撮影画像を表示するモニター部を含むカメラ本体部が分離可能であり、カメラ本体部からのレリーズ操作によってカメラ撮像部の撮影制御を行える方法も提案されている。この提案件ではカメラ本体部での撮影者によるレリーズ釦操作をワイヤレス通信にてカメラ撮像部に伝え、その結果カメラ撮像部で撮影動作を行う。そして撮像した画像データをカメラ本体部にワイヤレス通信で伝送し、その結果をカメラ本体のメモリーカードに保存する方法が開示されている（例えば、特開２００４−０８８３９６号公報）。
【特許文献１】特開平８−２０５０１６号公報
【特許文献２】特開平９−２６１５１９号公報
【特許文献３】特開２００４−０８８３９６号公報
【発明の開示】
【発明が解決しようとする課題】
【００１２】
上記の文献に記載の発明のように、本体部とモニター部が分離可能なカメラであって各部にプロセッサーが存在すれば、分離している状態であってもそれぞれのプロセッサーが独自の処理を行うことが可能である。
【００１３】
その一方で、上記文献に記載の発明は、本体部とモニター部とが接続されれば、１つのカメラに２つのプロセッサーが備わっていることになる。しかしながら、本体部とモニター部とが接続している場合に２つのプロセッサーを効率よく使う方法については何の開示もない。
【課題を解決するための手段】
【００１４】
そこで上記課題を解決するために、本発明に係る撮像装置の１つは、被写体を撮像し、画像データを得るための撮像手段を有する第１のユニットおよび第２のユニットとを有し、前記第１のユニットと前記第２のユニットとを互いに分離可能な撮像装置であって、前記第１のユニットに取り付けられた第１の画像処理手段と、前記第２のユニットに取り付けられた第２の画像処理手段とを有し、一体の状態において前記撮像が行われた場合、前記第１の画像処理手段が前記画像データに対して第１の画像処理を実行し、前記第２の画像処理手段が前記画像データに対して前記第１の画像処理とは異なる第２の画像処理を実行し、分離の状態において前記撮像が行われた場合、前記第１の画像処理手段が前記画像データに対して前記第２の画像処理を実行することを特徴とする。
【００１５】
また、本発明に係る他の撮像装置は、被写体を撮像し、画像データを得るための撮像手段を有する第１のユニットおよび第２のユニットとを有し、前記第１のユニットと前記第２のユニットとを互いに分離可能な撮像装置であって、前記第１のユニットに取り付けられた第１の画像処理手段と、前記第２のユニットに取り付けられた第２の画像処理手段とを有し、一体の状態において連続して撮像が行われた場合、第１の画像処理手段が前記撮像により連続して得られる複数の画像データのうち何枚かに対し画像処理を行い、第２の画像処理手段が他の画像データに対し前記画像処理を行い、分離の状態において連続して撮像が行われた場合、前記第１の画像処理手段は前記撮像により連続して得られる複数の画像データのそれぞれに対して前記画像処理を実行することを特徴とする。
【発明の効果】
【００１６】
本発明は、撮影処理を行うカメラ本体部と、画像データを表示するモニター部表示部に分離可能なカメラにおいて、その両者に記憶部を備える構成とした。
【００１７】
この構成により、両者が分離した状態でも独立してカメラ及び画像ビューアとしての機能をそれぞれ果たすこと可能となる。
【００１８】
この両部は互いにワイヤレス通信を用いて画像転送を行うとともに、両部に存在する不揮発性メモリー等で構成される画像記憶手段に画像を記憶することが可能であるので、距離的に離れた位置にある両部のいずれに対しても画像の保存が可能となる。
【００１９】
また、カメラ本体部とモニター表示部がメカ的に分離した状態で互いにワイヤレス通信を行っている際に、モニター表示部は独立してカメラ本体部の画像記憶手段あるいは自分自身の画像記憶手段へのアクセスが可能である。これはカメラ本体部による撮影動作と同時に撮影画像をカメラ本体部あるいはモニター表示部の画像記憶手段に記憶するのとは別に、行われるため、距離が離れた位置にある両部にて撮影制御と画像確認制御を同時に実行できる。
【発明を実施するための最良の形態】
【００２０】
＜第１の実施形態＞
図１はカメラ本体部とモニター表示部が一体となっている状態での本発明の全体のカメラシステム構成を示すブロック図である。
【００２１】
カメラ１は点線部で囲まれたカメラ本体部１ａ及びモニター表示部１ｂという２つのユニットから構成され、両部間は専用のコネクター１０及び１１を介して一方が他方を装着することで一体（以下「一体」）的な構成をとることが可能である。両部間はそれぞれ専用信号線１０ａ及び１１ａを通して各種データのやり取りを行うようになっている。
【００２２】
まず、カメラ本体部１ａの構成について述べる。
【００２３】
カメラ本体部１ａはカメラの撮影制御を行う為のカメラ基本ブロックで構成されており、この中にはカメラ全体の電源を供給する為のバッテリー２６及び電源制御回路２７が設けられている。
【００２４】
カメラ制御手段２はカメラ全体の制御を行う為のＣＰＵ等で構成される。通常は撮影者のレリーズ操作等によりカメラの露出制御、ＡＦ制御、更にはカメラ全体のシーケンスコントロールを行う。
【００２５】
カメラＳＷ３は撮影者が撮影を開始する為のレリーズ釦や、カメラの露出モードやＡＦモードを設定する為の各種スイッチで構成されている。カメラＳＷ３は撮影者の操作による各種スイッチの変化が上記カメラ制御手段２に伝達されるように構成されている。
【００２６】
撮像素子４は被写体を撮影して所定の画像信号に変換するためのものである。撮像素子４はカメラ制御手段２による撮影シーケンスに従い、カメラのシャッター制御のタイミングに応じて撮影動作を行い、撮影した画像データを順次出力する。
【００２７】
フロントプロセッサー５は内部的に上記撮像素子４からの出力信号をＡ／Ｄ変換するアナログ処理部と、実際にデジタルデータに変換された撮像信号に対して各種の画像処理を施すデジタル処理部とで構成されている。カメラの撮影動作に合わせて撮像素子４で変換された信号が順次このフロントプロセッサー５を介して取り込まれる。
【００２８】
このフロントプロセッサー５では、アナログ信号からデジタル信号への変換動作、各種撮影光学系による信号劣化に対するデジタル補正、撮像素子そのものが持つ固有の信号劣化に対するデジタル補正等の処理、及び絵作りの為の各種画像処理が行われる。
【００２９】
上記絵作りの為の各種画像処理について説明する。フロントプロセッサー５は、まず色補間処理としてセンサーの画素配列がベイヤー配列で構成されているものに対して、ＲＧＢの３プレーンのデータに変換する。次にセンサー固有のカラーフィルターの持つ分光特性から所望の色を出力する為のマトリックス補正を実行してＲＧＢ→ＲＧＢ変換を行う。
【００３０】
更に内部のγ変換ブロックへ入力して、通常アナログ処理部でデジタルデータに変換したデータ巾１２ビットを８ビットに変換する処理を行う。そして所定のダイナミックレンジに入るようなデータの変換、いわゆるγ変換を行う。
【００３１】
続いて内部的にＲＧＢ→ＹＣｒＣｂ変換ブロックへ入力してＲＧＢ→ＹＣｒＣｂの色変換処理を行った後、内部の偽色除去ブロックへ入力してＣｒＣｂ成分に対する偽色除去処理を行う。ここでの処理としてはいわゆるサンプリング周波数と画像周波数との関係から生ずる色モアレ等の発生に対して、メディアンフィルター（中間値フィルター）やその他様々なフィルター等を使用する方法がある。
【００３２】
以上のような一連の画像処理、いわゆる現像処理を順次行い、最終的な画像処理を行った結果のデータをフロントバッファメモリー７に一時記憶する。
【００３３】
フロントバッファメモリー７は上記フロントプロセッサー５からの信号を高速に書き込んで一時的に記憶する為のメモリー手段であり、通常ＤＲＡＭ等の大容量且つ揮発性のメモリーで構成されている。
【００３４】
また、フロントバッファメモリー７への記憶後、フロントプロセッサー５は画像サイズを所定の大きさにまで縮小する為の圧縮処理を行うことが可能である。この圧縮処理としては通常のＤＣＴ変換をベースとした非可逆圧縮処理であるのＪＰＥＧ圧縮処理と、可逆圧縮処理であるＬｏｓｓｌｅｓｓ圧縮処理が一般的に使用されている。
【００３５】
非可逆タイプのＪＰＥＧ圧縮の際には、まずフロントバッファメモリー７に記憶されている画像処理後のデータをフロントプロセッサー５へ読み込む。そしてそのデータをラスターブロック変換ブロックへ入力して、画像データを水平８画素、垂直８画素単位での２次元単位でのブロックに変換する。
【００３６】
次に、ＤＣＴ変換ブロックにデータを入力し、ここでは８×８ブロック単位でいわゆる周波数成分毎の８×８のデータに変換するＤＣＴ変換を行い、２次元単位での低周波成分から高周波成分への係数を算出する。
【００３７】
次に、量子化ブロックへ入力して上記ＤＣＴ変換で算出した係数値に対する量子化を行う。この量子化に関しては事前に値が設定されている量子化テーブルの値に基づいて各係数毎の除算にて実現している。
【００３８】
更に、この量子化した結果を所定のスキャン方向に沿ってデータを読み出しながら、内部のハフマン符号化ブロックへ入力して、ここで事前に値が設定されているハフマンテーブルの値に沿ったエントロピー符号化を実施する。
【００３９】
フロントプロセッサー５は、上記の方法で圧縮したデータを再度フロントバッファメモリー７の所定領域内に書き戻す事で、一連の圧縮処理を終了する。
【００４０】
一方、可逆タイプのＬｏｓｓｌｅｓｓ圧縮方法としては、いわゆるＤＰＣＭをベースにした圧縮処理がある。この圧縮処理では、まずフロントバッファメモリー７に記憶された画像処理後のデータをフロントプロセッサー５へ読み込む。そして内部のＤＰＣＭ変換ブロックへ入力して、予測値との差分データとして画像データを変換する。
【００４１】
次にこのＤＰＣＭ変換したデータを読み出しながらハフマン符号化ブロックへ入力する。ここでは事前に値が設定されているハフマンテーブルの値に沿ったエントロピー符号化を実施する。
【００４２】
フロントプロセッサー５は、上記の方法で圧縮したデータを再度フロントバッファメモリー７の別の所定領域内に書き戻す事で、一連の圧縮処理を終了する。
【００４３】
又、フロントプロセッサー５にはフロントバッファメモリー７とは別のメモリーとして不揮発性メモリー６が接続されている。不揮発性メモリー６は、フロントプロセッサー５が所定の処理を実行する為のプログラムを記憶したり、現像処理並びに圧縮処理後の画像データそのものを記憶したりする為に使用される。通常、不揮発性メモリー６はある程度の容量（数Ｍバイトから数１０Ｍバイト）を持ったＦＬＡＳＨメモリー等で構成されている。
【００４４】
カメラ本体部１ａはカードインターフェース（以下「Ｉ／Ｆ」）８を有し、接続される外部カードにアクセスすることで、機能を拡張する事が可能である。
【００４５】
カードＩ／Ｆ８にはメモリーカード９を接続することができる。従って、不揮発性メモリー６の容量では充分な量の画像データを記憶する事が出来ないような場合には、メモリーカード９に画像データを記憶することが可能である。
【００４６】
以上述べたように、撮像素子４で撮像された画像データはフロントプロセッサー５内で所定の現像処理並びに圧縮処理される。そして最終的な画像処理後のデータは所定のファイルに変換（このファイルシステムの処理もフロントプロセッサー５にて実施）され、不揮発性メモリー６またはメモリーカード９に記憶される。
【００４７】
次にモニター表示部１ｂの構成について述べる。
【００４８】
リアプロセッサー１２の構成はフロントプロセッサー５の構成とほぼ同様の構成を有し、画像データに対して各種の画像処理を施すことが可能である。
【００４９】
モニター表示部１ｂは、画像処理・圧縮処理後の画像データを外部ＴＦＴモニター等に表示したり、他のＰＣ等に対して上記画像データを転送したりする為の処理ブロックで構成されている。
【００５０】
カメラ本体部１ａとモニター表示部１ｂは、図３に示したようなカメラ本体部１ａにある専用のコネクター１０とモニター表示部１ｂにある専用のコネクター１１とで電気回路にて電気的に接続される。すなわち、それぞれ専用信号線１０ａ及び１１ａが直接上記コネクターを介して接続する事になる。
【００５１】
なお、コネクター１０及び１１にはセンサー５１及び２２が備わっている。このセンサーが電気的な接続状態を検知することにより、フロントプロセッサー５及びリアプロセッサー１２は一体の状態であるか否かを検知することが可能である。もちろん、センサー自体はメカスイッチなどであっても構わない。
【００５２】
この信号線には種々の信号線が含まれる。例えば、バッテリー２６及び電源制御回路２７を介してモニター表示部１ｂへ電源を供給するライン、カメラ本体部１ａのフロントプロセッサー５とモニター表示部１ｂ内のリアプロセッサー１２間でデータ等をやり取りするバス信号線が含まれる。バス信号線には、複数のアドレスバスとデータバスから構成される一般的なパラレルバス信号や、ＩＥＥＥ１３９４やＵＳＢ等で使用されている高速なシリアルバス信号が使用される。
【００５３】
ここでリアプロセッサー１２は、フロントプロセッサー５と専用信号線１０ａ及び１１ａを介して画像データなどのやり取りを行う。具体的には、カメラ本体部１ａに記憶された画像データを、専用信号線１０ａ及び１１ａを介してリアプロセッサー１２に接続されているリアバッファメモリー１４に転送し、一時的に記憶させる。ここで記憶されたデータとは、フロントバッファメモリー７に一時記憶している画像データ、若しくは不揮発性メモリー６またはメモリーカード９に記憶している画像データが含まれる。画像データに対してどの段階まで画像処理が施されていても、カメラ本体部１ａからモニター表示部１ｂへ転送することが可能である。
【００５４】
リアバッファメモリー１４はリアプロセッサー１２からの信号を高速に書き込んで一時的に記憶する為のメモリー手段であり、通常はＤＲＡＭ等の大容量且つ揮発性のメモリーで構成されている。
【００５５】
また、リアプロセッサー１２にも、フロントプロセッサー５と同様に不揮発性メモリー１３が接続されている。不揮発性メモリー１３は、リアプロセッサー１２が処理を実行するためのプログラムを記憶したり、現像及び圧縮処理後のデータを記憶するために使用される。通常、ある程度の容量（数Ｍバイトから数１０Ｍバイト）を持ったＦＬＡＳＨメモリー等で構成されている。
【００５６】
さらに、リアプロセッサー１２にも、フロントプロセッサー５と同様にカードＩ／Ｆ１５が接続されている。このＩ／Ｆを介してメモリーカード１６等を接続することで、メモリーカード１６に画像データ等を記憶することが可能となる。
【００５７】
リアプロセッサー１２はメモリーカード１６に記憶する画像データのファイル管理も行う。なお、カメラ本体部１ａのメモリーカード９に記憶したものと同じ画像データを、画像処理を施さず単にコピーしてメモリーカード１６に記憶する場合は、リアプロセッサー１２はファイル管理のみを行う。
【００５８】
また、モニター表示部１ｂには２０に示したような撮影画像を表示する為のモニター手段がある。図３はカメラ本体部１ａとモニター表示部１ｂの接続を示す図である。
【００５９】
モニター２０は、リアプロセッサー１２と所定のドライバー回路（この実施形態の場合モニター２０内に含まれている）を介して接続されており、リアプロセッサー１２からの制御信号によって表示制御される。
【００６０】
一般的にこのモニター２０には、ＴＦＴ等の原理に基く液晶などが使用される。モニター２０には、バックライト（図示せず）を用いて撮影した画像データの表示がなされる。また、モニター横のモニターＳＷ１９がユーザに操作されることに応じて、カメラ１内部の設定動作を行う各種ＧＵＩ（Ｇｒａｐｈｉｃａｌ  Ｕｓｅｒ  Ｉｎｔｅｒｆａｃｅ）を表示する。
【００６１】
ここで、ユーザによるモニターＳＷ１９の操作に応じて画像データをモニター２０に表示する処理について説明する。
【００６２】
まずリアプロセッサー１２は、メモリーカード１６などに記憶されている画像データを読み出す。画像データが圧縮されている場合には読み出した画像データに対して所定の伸長動作を行う。続いて読み出した画像データをモニター２０の表示サイズに合わせてリサイズする為のリサイズ処理を行う。
【００６３】
リアプロセッサー１２は、リサイズ処理した画像データを別画像データとしてリアバッファメモリー１４の所定領域に一時記憶する。一時記憶した画像データはリアプロセッサー１２内の表示コントローラーに定期的に転送されることで、モニター２０に表示が行われる。
【００６４】
次に、画像データを外部機器に対してワイヤレス通信で転送する処理について説明する。
【００６５】
この転送処理の際には、リアプロセッサー１２にてネットワーク用のプロトコル処理（一般的にはＴＣＰ／ＩＰ等の変換）が行われる。そしてワイヤレス通信部１７及び専用アンテナ１８を介して所定の周波数帯域を有する電波信号にデータが変換され、外部機器にデータが転送される。
【００６６】
ワイヤレス通信部１７の詳細な構成を図５に示す。１７ａはＭＡＣ制御部であり、他の無線機器等との送受信タイミングを決定する為のアクセス制御を実行する。１７ｂはＰＨＹ処理部である。ＰＨＹ処理部１７ｂは、撮影画像データやホスト機器からのコマンドデータなどのデジタルデータを伝送上最適なＳ／Ｎを得る為の１次変調（例えばＩＥＥＥ８０２．１１ａや１１ｇで使用されているＯＦＤＭ変調等）を行う。また、デジタルデータを所定の無線周波数帯の高周波信号に変換する。１７ｃは送信部であり、ＰＨＹ処理部１７ｂで変換された信号を実際の送信出力として出力する為のパワーアンプで構成される。１７ｄは受信部であり、外部からの無線信号を感度よく受信する為のローノイズアンプで構成される。１７ｅはアンテナスイッチであり、送信信号並びに受信信号をアンテナに対して切り替える為のスイッチ等から構成されている。このアンテナスイッチ１７ｅの先には実際に無線信号を送受信する為の専用アンテナ１８が接続されている。
【００６７】
次に、カメラ本体部１ａが自らの状態を検知するための処理フローを図１５に示す。まず、ユーザ操作により電源がＯＮ状態になると（ステップＳ１１０１）、フロントプロセッサー５はセンサー５１の状態を確認する（ステップＳ１１０２）。
【００６８】
センサー５１が接続状態を示している場合には（ステップＳ１１０３／ＹＥＳ）、フロントプロセッサー５はカメラ本体部１ａを一体モードに設定する（ステップＳ１１０５）。センサー５１が接続状態を示していない場合には（ステップＳ１１０３／ＮＯ）、プロセッサー５はカメラ本体部１ａを分離モードに設定する（ステップＳ１１０４）。
【００６９】
モード設定ののち、フロントプロセッサー５は定期的にセンサー５１の状態を確認し（ステップＳ１１０２）、センサー５１の状態に変更があった場合にはフローに従いモードを切り替える。なお、フロントプロセッサー５は定期的にはセンサー５１の状態を確認せず、センサー５１から状態が変化した信号を受け取るとステップＳ１１０２以下の処理を行ってもよい。
【００７０】
モニター表示部１ｂも図１５のフローと同様の処理を行う。リアプロセッサー１２がセンサー５２の状態を確認し、モニター表示部１ｂのモードを切り替える。
【００７１】
以下、本実施形態で「一体の状態」とは、カメラ本体部１ａとモニター表示部１ｂが一体モードにある場合を指す。
【００７２】
また、「分離の状態」とは、カメラ本体部１ａとモニター表示部１ｂが分離モードにある場合を指す。
【００７３】
次に、カメラ本体部１ａとモニター表示部１ｂが一体となっている状態での一連の処理について説明する。図６に本処理のタイミングチャートを示す。
【００７４】
初めに、ユーザのレリーズ操作に応じて、撮像素子４が１駒目の画像データを順々に読み出す（タイミング１００）。
【００７５】
撮像素子が読み出したデータをフロントプロセッサー５がフロントバッファメモリー７に書き込む（タイミング１０１）。
【００７６】
１駒目の画像データのフロントバッファメモリー７への書き込みが完了すると、直ちにフロントプロセッサー５はデータの読み出し動作を行う（タイミング１０２）。
【００７７】
フロントプロセッサー５は読み出したデータに所定の画像処理並びに圧縮処理を行い（タイミング１０３）、不揮発性メモリー６またはメモリーカード９に書き込む（タイミング１０４）。本実施形態では、フロントプロセッサー５ではＬｏｓｓｌｅｓｓ圧縮方式などの可逆圧縮のみを行う。ＪＰＥＧ圧縮方式などを用いた非可逆圧縮はフロントプロセッサー５では行わない。
【００７８】
一方、フロントプロセッサー５はタイミング１０４において画像データを上記不揮発性メモリー６またはメモリーカード９に書き込むとともに、専用信号線１０ａ及び１１ａを介して画像データをリアプロセッサー１２に転送する。
【００７９】
リアプロセッサー１２は画像データを受信すると、受信した画像データをリアバッファメモリー１４に一時的に書き込む（タイミング１０５）。
【００８０】
リアバッファメモリー１４への画像データの書き込みが完了すると、リアプロセッサー１２は直ちにこの画像データの読み出し動作を行う（タイミング１０６）。
【００８１】
リアプロセッサー１２は読み出した画像データに対して画像処理並びに圧縮処理を行う（タイミング１０７）。フロントプロセッサー５からはＬｏｓｓｌｅｓｓ圧縮方式での圧縮した画像データが転送される。そこでリアプロセッサー１２ではＪＰＥＧ圧縮方式などを用いた非可逆圧縮や、各種の色処理を施すことで、モニター２０で画像データが閲覧できるようにする。
【００８２】
画像処理・圧縮処理を施した後、リアプロセッサー１２は不揮発性メモリー１３またはメモリーカード１６に画像データを書き込む（タイミング１０８）。
【００８３】
書き込み処理の一方で、リアプロセッサー１２は外部ＰＣ２１へのデータの転送処理を行う。リアプロセッサー１２はワイヤレス通信を行う為にプロトコル変換処理を行い（タイミング１０９）、ワイヤレス通信部１７を介して外部ＰＣ２１へ画像データを転送する（タイミング１１０）。
【００８４】
以上説明したように、カメラ本体部１ａとモニター表示部１ｂが一体となっている場合には、ユーザがレリーズ操作を行うだけで撮影した画像データが外部ＰＣ２１等へ転送する処理を行う構成とした。
【００８５】
以上説明したように、カメラ本体部１ａとモニター表示部１ｂが一体となっている場合には、１つのカメラにメモリーカード９及びメモリーカード１６が備わっていることになる。そこで、ユーザがレリーズ操作を行うだけで、カメラ本体部１ａのメモリーカード９及びモニター表示部１ｂのワイヤレス通信部１７を用いて、画像データを外部ＰＣ２１に転送する処理を行う構成とした。
【００８６】
この構成により、ユーザはレリーズ操作を行うだけで撮影画像及びそのバックアップを記録することが可能である。
【００８７】
また、一度の撮影操作でカメラ本体部１ａとモニター表示部１ｂの両方のメモリーカードに同じ画像が記録される。このため、カメラ本体部１ａとモニター表示部１ｂを分離して別個に使用することになっても、ユーザはどちらのユニットに所望の画像データが記録されているか迷うことがなくなる。
【００８８】
また、この一連の処理の中で、フロントプロセッサー５及びリアプロセッサー１２がそれぞれ役割分担して各種の処理を実行する。このプロセッサーの役割分担による処理は、例えば連写撮影のように連続して撮影処理が行われる際に効率的な処理を実現する。
【００８９】
例えば画像処理・圧縮処理に関しては、役割分担による効率的な処理が行われている。撮像素子及びカメラの光学系の組み合わせにて発生する不具合等に対しての補正処理、及びＬｏｓｓｌｅｓｓ圧縮処理等の処理はフロントプロセッサー５が主として実行する。一方、リアプロセッサー１２は実際にモニター２０に表示するための画像処理並びにＪＰＥＧ圧縮（非可逆圧縮）等を行う。
【００９０】
また、撮影処理と外部ＰＣ２１への画像データの転送処理に関しても役割分担がなされている。フロントプロセッサー５で撮像処理、特に連写などの連続した撮像処理を行うのと並行して、リアプロセッサー１２では外部ＰＣ２１へのデータ転送を行う。例えば、リアプロセッサー１２が外部ＰＣ２１へのデータ転送を行っている間（タイミング１１０）に、フロントプロセッサー５は次の撮影処理を開始することができる（タイミング１１１）。
【００９１】
以上説明したように、フロントプロセッサー５とリアプロセッサー１２が役割分担しながら協働してプロセッサーの役割を果たすことにより、効率的な処理を実現している。このことにより、カメラ自体の撮影時性能（処理能力やバースト撮影駒数）が大幅に向上する。
【００９２】
ここまで、カメラ本体部１ａとモニター表示部１ｂが一体である場合の動作について説明した。次に、カメラ本体部１ａとモニター表示部１ｂが分離し、互いにワイヤレス通信でデータのやり取りを行う場合について説明する。
【００９３】
図２にカメラ本体部１ａとモニター表示部１ｂが分離している状態のシステム構成図を示す。図２の基本的な構成要素は図１と同じであるため、共通部分については説明を省略し、図１と相違する点について述べる。まず本実施形態におけるカメラ本体部１ａはワイヤレス通信機能が備わっていない。従ってカメラ本体部１ａ単独ではワイヤレス通信を行うことができない。そこで、ワイヤレス通信カード２２が、カードＩ／Ｆ８を介して、カメラ本体部１ａ内のフロントプロセッサー５に接続される構成となっている。ワイヤレス通信カード２２が接続されることにより、フロントプロセッサー５は通信制御を行うことが可能となる。
【００９４】
ワイヤレス通信カード２２は、図１のメモリーカード９に代わってカメラ本体部１ａに新たに装着されたものである。その内部構成は図５で説明したワイヤレス通信部１７と同じ構成であり、専用アンテナ２３を介してモニター表示部１ｂ内のワイヤレス通信部１７とデータの送受信を行う。
【００９５】
また、モニター表示部１ｂにはバッテリーが内蔵されていない。そこで新たに外部バッテリー供給手段３０がモニター表示部１ｂに接続される。
【００９６】
なお、本実施形態ではメモリーカード９に代わってワイヤレス通信カード２２を装着する構成としたが、カードＩ／Ｆ８を複数設け、メモリーカード９とワイヤレス通信カード２２を同時にフロントプロセッサー５に接続する構成としてもよい。
【００９７】
図４はモニター表示部１ｂと外部バッテリー供給手段３０が一体となる状態を示したものである。
【００９８】
カメラ本体部１ａと一体のときに電源供給元並びにカメラ本体部１ａとの信号線として使用していたコネクター１１は、外部バッテリー供給手段３０の専用コネクター３３と接続する。この接続により、モニター表示部１ｂは外部バッテリー供給手段３０内のバッテリー３１、並びに電源制御部３２から各種電源電圧及びコントロール信号を受け取る。
【００９９】
次に、このカメラ本体部１ａとモニター表示部１ｂが分離した状態で、どのようにして両者間でのデータのやり取りを行うのかを、図７のタイミングチャートを使いながら説明を行う。
【０１００】
初めに、撮影者のレリーズ操作を開始信号として、撮像素子４が１駒目の画像データを順々に読み出す（タイミング１５０）。
【０１０１】
フロントプロセッサー５は、読み出した画像データをフロントバッファメモリー７に書き込む（タイミング１５１）。
【０１０２】
１駒目の画像データの書き込みが完了すると、フロントプロセッサー５は直ちに画像データの読み出し動作を行う（タイミング１５２）。
【０１０３】
フロントプロセッサー５は読み出した画像データに対して所定の画像処理並びに圧縮処理を行う（タイミング１５３）。その結果を不揮発性メモリー６に書き込む（タイミング１５４）。本実施形態においては、カメラ本体部１ａにメモリーカード９が接続されていないため、画像データは不揮発性メモリー６に記憶されることになる。このときの圧縮処理では、カメラ本体部１ａと一体の場合と異なり、フロントプロセッサー５側でＪＰＥＧ圧縮方式などを用いた非可逆圧縮を行う。なぜなら、分離時にはカメラ本体部１ａからモニター表示部１ｂに画像データをワイヤレス通信で転送する処理を行うためである（後述）。この転送の際、Ｌｏｓｓｌｅｓｓ圧縮方式で圧縮したデータを用いるとデータ量が大きくなり、通信負荷が大きくなる。そこでフロントプロセッサー５側でＪＰＥＧ圧縮方式などによる圧縮を行い、データ量を小さくしている。
【０１０４】
一方、書き込み処理と同時に、フロントプロセッサー５はモニター表示部１ｂに対して画像データをワイヤレス転送すべく、プロトコル変換処理を行う（タイミング１５５）。
【０１０５】
そしてフロントプロセッサー５は送信制御処理を行う。具体的には、カードＩ／Ｆ８を介して接続されているワイヤレス通信カード２２を経由して、１駒目の画像データをモニター表示部１ｂに対して転送する（タイミング１５６）。
【０１０６】
モニター表示部１ｂは、カメラ本体部１ａから送信されてくる画像データをワイヤレス通信部１７を介して受信する（タイミング１５７）。
【０１０７】
リアプロセッサー１２は上記受信した画像データに対してプロトコル処理を行った（タイミング１５８）上で、一時的にリアバッファメモリー１４に受信データを書き込む（タイミング１５９）。
【０１０８】
書き込み処理が完了すると、リアプロセッサー１２は直ちにこの画像データの読み出し動作を行う（タイミング１６０）。リアプロセッサー１２は読み出した画像データに対してファイルシステム等の処理やモニターに撮影画像を表示するためのリサイズなどを行う（タイミング１６１）。すなわち、リアプロセッサー１２は画像データが表示に適するように処理を行う。
リアプロセッサー１２は、処理後の画像データをメモリーカード１６に書き込む（タイミング１６２）。
【０１０９】
以上述べたように、カメラ本体部１ａとモニター表示部１ｂが分離している場合には、カメラ本体部１ａにおけるレリーズ操作を行うと、まず不揮発性メモリー６に画像データを書き込む。そして離れた位置にあるモニター表示部１ｂに画像データがワイヤレス転送され、モニター表示部１ｂはカメラ本体部１ａから受信した画像データを不揮発性メモリー１３またはメモリーカード１６に書き込む構成とした。
【０１１０】
これらの構成により、カメラ本体部１ａは離れた位置にあるモニター表示部１ｂに対して直接データを転送する事が可能となる。
【０１１１】
また、フロントプロセッサー５とリアプロセッサー１２は、それぞれ分離した状態で各々の処理を実行する。例えば連写などの連続撮影の際には、モニター表示部１ｂにおいて１駒目の処理を行っている間（タイミング１５９〜タイミング１６２）に、カメラ本体部１ａにおいて２駒目以降の処理（タイミング１６４〜タイミング１６９）を並行して行う。このようにフロントプロセッサー５とリアプロセッサー１２が役割分担して処理を行うことにより、効率的な処理を実現している。
【０１１２】
また、一旦不揮発性メモリー６に画像データを書き込むことにより、ワイヤレス通信での転送に失敗しても不揮発性メモリー６には画像データが残るため、画像データを消失するおそれが軽減される。
【０１１３】
なお、本実施形態におけるカメラ本体部１ａにおける撮影処理は、カメラ本体を操作している撮影者がカメラＳＷ３等を操作する事によって開始される構成となっている。しかし、図２のようにカメラ本体１ａとモニター表示部１ｂが分離してワイヤレスで通信している場合は、ユーザによりモニター表示部１ｂが操作されることによってカメラ本体部１ａの撮影処理を開始することが可能である。
【０１１４】
この場合には、モニターＳＷ１９のいずれか、またはモニター２０上に表示するＧＵＩがカメラＳＷ３の代わりとなる。本体部１ａがレリーズ待ちの状態であって、モニターＳＷ１９またはモニター２０に対する操作をリアプロセッサー１２が検出すると、リアプロセッサー１２はレリーズコマンドのプロトコルを変換し、ワイヤレス通信部１７を介してカメラ本体部１ａに転送する。
【０１１５】
カメラ本体部１ａのワイヤレス通信カード２２はモニター表示部１ｂから送信されたコマンド等を含むデータを受信する。フロントプロセッサー５は受信データに対してプロトコル変換を行い、レリーズコマンドであることを検出すると、カメラ制御手段２へレリーズ命令を行う。レリーズ命令を受けたカメラ制御手段２は、撮影処理を行う。
【０１１６】
このような処理を行うことで、例えばカメラ本体部１ａを三脚等に据え付け、カメラ本体部１ａとは離れた位置からモニター表示部１ｂを用いたレリーズ指示を行うことが可能となる。
【０１１７】
本実施形態においては、一体の状態では本体部１ａ及びモニター表示部１ｂの両方のメモリーカードに画像データが書き込まれる構成とした。しかし、ユーザにどちらのメモリーカードに画像データを記憶させるか選択させてもよい。この場合には、リアプロセッサー１２がモニター２０に図１４に示すようなＧＵＩを表示し、ユーザに記憶先のメモリーカードを選択させることが可能である。アイコン１２０１が選択されると記憶先はメモリーカード９に、アイコン１２０２が選択されると記憶先はメモリーカード１６に設定される。また、アイコン１２０３が選択されると、記憶先はメモリーカード９及びメモリーカード１６に設定される。なお、図１４に示す画面をＧＵＩで表示する際に、フロントプロセッサー５及びリアプロセッサー１２はメモリーカード９及びメモリーカード１６の残り容量を検出し、ＧＵＩに表示する。
【０１１８】
以上述べたように、ユーザ操作により少なくとも１つの記憶先を選択可能にしたことで、ユーザは残り容量の多いメモリーカードにのみ画像データを記録することが可能である。
【０１１９】
また、メモリーカード１６に記録された画像データを外部ＰＣ２１に転送する処理の最中は、メモリーカード１６への新たな画像の書込みが禁止される場合がある。このような場合にメモリーカード９を撮影画像データの記憶先として設定すれば、外部ＰＣ２１への転送中であってもシャッターチャンスを逃すことなく撮影を行うことができ、撮影画像をメモリーカード９に記録することができる。
【０１２０】
＜第２の実施形態＞
本実施形態は第１の実施形態と共通する部分も多い。従って、第１の実施形態と同様の部分については説明を省略し、本実施形態の特徴的な部分について詳細に説明する。
【０１２１】
図８は本実施形態におけるシステムの構成図であり、カメラ本体部１ａとモニター表示部１ｂに始めからワイヤレス通信部２４及び１７を内蔵しているシステムを表わしたものである。
基本的なデータの流れは第１の実施形態の図２の構成及び図７のタイミングと同様である。
【０１２２】
このように本実施形態では、初めからカメラ本体部１ａ及びモニター表示部１ｂの両方に専用のワイヤレス通信部を内蔵しているので、それぞれのカードＩ／Ｆ部に大容量の画像を記憶するためのメモリーカードを装着する事が可能となる。
【０１２３】
さらに、図９に示すように、モニター表示部１ｂ側に予め専用の電池を内蔵している構成としてもよい。この場合には、モニター表示部１ｂ内に内蔵されているバッテリー３８、並びにＡＣ／ＤＣコンバーター等で構成されている電源制御部３９からの電源電圧並びにコントロール信号を受け取る構成となっている。
【０１２４】
この構成であれば、電池をモニター表示部１ｂ側にも初めから内蔵しているので、カメラ本体部１ａとモニター表示部１ｂを分離した場合でも、例えばバッテリー供給手段などのオプション部材を取り付ける必要がなくなり、ユーザの手間が省ける。
【０１２５】
＜第３の実施形態＞
第１の実施形態における分離した状態での処理は、カメラ本体部１ａに記憶された画像データを順次モニター表示部１ｂにワイヤレス転送する、というものであった。
【０１２６】
無線通信を用いた画像データの転送は便利である。しかし、有線通信を用いた転送と比較すると転送速度が遅く、すべての画像データをカメラ本体部１ａからモニター表示部１ｂに転送するのは時間がかかる。
【０１２７】
そこで本実施形態では、モニター表示部１ｂがカメラ本体部１ａに記録された画像データのうち、所望のものを選択して取得する構成とした。
【０１２８】
また、本実施形態では、一体の状態の場合で連続撮影が行われた場合に、２つのプロセッサー、フロントプロセッサー５とリアプロセッサー１２を用いることにより、効率的に画像処理・圧縮処理を行う。
【０１２９】
以下、本実施形態における処理について説明する。本実施形態の基本的な構成は前述した実施形態と共通する部分が多いため、共通の部分については説明を省略し、本実施形態に特有の部分について説明する。
【０１３０】
まず、本体部１ａとモニター表示部１ｂが一体の状態にある場合について説明する。
【０１３１】
図１０は本実施形態における一体時の処理を示したタイミングチャートである。以下、図１０を用いてカメラ本体部１ａとモニター表示部１ｂが一体となっている場合のカメラの撮影動作での処理に関して説明する。
【０１３２】
まず、撮影者によるレリーズ操作を検知すると、撮像素子４が１駒目の画像データを順々に読み出す（タイミング２００）。フロントプロセッサー５は読み出された画像データをフロントバッファメモリー７に書き込む（タイミング２０１）。
【０１３３】
１駒目の書き込み処理が完了すると、フロントプロセッサー５は直ちに画像データの読み出し動作を行う（タイミング２０２）。
【０１３４】
フロントプロセッサー５は読み出したデータに対して所定の画像処理並びに圧縮処理を行う（タイミング２０３）。このときの画像処理・圧縮処理は、ＪＰＥＧ圧縮方式などを用いた非可逆圧縮など、画像データが表示可能になるような最終的な画像処理までフロントプロセッサー５側で行う。
【０１３５】
そして処理後のデータを不揮発性メモリー６またはメモリーカード９に書き込む（タイミング２０４）。
その一方でフロントプロセッサー５は、専用信号線１０ａ及び１０ｂを介してデータをリアプロセッサー１２に転送する。
リアプロセッサー１２は受信したデータをリアバッファメモリー１４に一時的に書き込む（タイミング２０５）。
リアプロセッサー１２はリアバッファメモリー１４へのデータの書き込みが完了すると直ちにこのデータの読み出し動作を行う（タイミング２０６）。
リアプロセッサー１２は読み出したデータを不揮発性メモリー１３またはメモリーカード１６に書き込む（タイミング２０７）。
【０１３６】
その一方で、リアプロセッサー１２はワイヤレス通信にて外部ＰＣ２１へのデータの転送処理を行う。リアプロセッサー１２は通信のためのプロトコル変換処理を行い（タイミング２０８）、ワイヤレス通信部１７を介して外部ＰＣ２１へ画像データを転送する（タイミング２０９）。
【０１３７】
次に、連続して２駒目を撮影した場合の処理について説明を行う。
１駒目と同様、撮像素子４が２駒目の画像データを順々に読み出す（タイミング２１０）。しかし１駒目と異なり、フロントプロセッサー５は２駒目の画像データに対しては画像処理を行わず、画像データをそのままリアプロセッサー１２に転送する。この画像データを受信したリアプロセッサー１２は、受信データをリアバッファメモリー１４に書き込む（タイミング２１１）。
【０１３８】
２駒目の画像データの書き込み処理が完了すると、リアプロセッサー１２は直ちにデータの読み出し動作を行う（タイミング２１２）。
【０１３９】
そしてリアプロセッサー１２は画像処理並びに圧縮処理を行う（タイミング２１３）。このときの画像処理・圧縮処理は、ＪＰＥＧ圧縮方式などを用いた非可逆圧縮など、画像データが表示可能になるような最終的な画像処理まで行う。
【０１４０】
リアプロセッサー１２は、処理後のデータを不揮発性メモリー１３またはメモリーカード１６に書き込む（タイミング２１４）。
【０１４１】
この書き込み処理と並行して、リアプロセッサー１２は専用信号線１０ａ及び１０ｂを介して画像処理後のデータをフロントプロセッサー５に転送する。
【０１４２】
フロントプロセッサー５は受信した画像データをフロントバッファメモリー７に一時的に書き込む（タイミング２１５）。
【０１４３】
画像データの書き込み処理が完了すると、フロントプロセッサー５は直ちにこのデータの読み出し動作を行う（タイミング２１６）。
【０１４４】
フロントプロセッサー５は読み出したデータを不揮発性メモリー６またはメモリーカード９に書き込む（タイミング２１７）。
【０１４５】
リアプロセッサー１２はフロントプロセッサー５への転送処理が完了すると、ワイヤレス通信にて外部ＰＣ２１へ画像データを転送する。リアプロセッサー１２は通信のためのプロトコル変換処理を行い（タイミング２１８）、ワイヤレス通信部１７を介して外部ＰＣ２１へ画像データを転送する（タイミング２１９）。
【０１４６】
さらに連続して３駒目を撮影する場合には、１駒目と同様の処理を行う。すなわち、画像処理、圧縮処理はフロントプロセッサー５が行う（タイミング２２０〜２２９）。以下同様にして、連続撮影時にはフロントプロセッサー５とリアプロセッサー１２が交互に画像処理・圧縮処理を行う。
【０１４７】
以上述べたように、本実施形態では各種の処理をフロントプロセッサー５及びリアプロセッサー１２がそれぞれ役割分担して実行する。
【０１４８】
その１つとして、奇数駒目の画像処理・圧縮処理を主としてフロントが担当し、偶数駒目の同処理を主としてリアプロセッサー１２が担当する構成とした。この構成により、連続する２つの画像データの処理は、異なるプロセッサーで行われることとなる。すなわち、連写などの連続撮影における画像処理などが、前後の駒の処理と並行して実行されるため、効率的な処理が実現される。
【０１４９】
なお、フロントプロセッサー５が連続した何枚かの画像データに対する画像処理を行った後に、リアプロセッサー１２が他の連続した何枚かの画像データに対する画像処理を行ってもよい。
【０１５０】
次に、本実施形態においてカメラ本体部１ａとモニター表示部１ｂが分離状態にある場合について説明する。
【０１５１】
図１１は本実施形態における分離時の処理を説明するためのタイミングチャートである。以下、図１１を用いて本実施形態について説明する。
【０１５２】
図１１において、まず撮影者のレリーズ操作を開始信号として、撮像素子４が１駒目の画像データを順々に読み出す（タイミング２５０）。
【０１５３】
そしてフロントプロセッサー５は、読み出された画像データをフロントバッファメモリー７に書き込む（タイミング２５１）。
【０１５４】
フロントバッファメモリー７への書き込みが完了すると、フロントプロセッサー５は直ちに書き込んだ画像データの読み出し動作を行う（タイミング２５２）。
【０１５５】
フロントプロセッサー５は読み出した画像データに画像処理並びに圧縮処理を行い（タイミング２５３）、処理後の画像データを不揮発性メモリー６に書き込む（タイミング２５４）。なお、メモリーカード９とワイヤレス通信カード２２が同時に接続されている場合にはメモリーカード９に画像データを書き込んでもよい。このときの画像処理・圧縮処理は、ＪＰＥＧ圧縮方式などを用いた非可逆圧縮など、画像データが表示可能になるような最終的な画像処理まで行う。
【０１５６】
連続して撮影する場合は、２駒目（タイミング２５５〜２５９）以降の駒でも同様の処理を行い、画像データをカメラ本体部１ａ内の不揮発性メモリー６に順々に書き込んでいく。本実施形態では、撮影と同時にモニター表示部１ｂにデータを転送する処理は行わない。
【０１５７】
一方、本実施形態におけるモニター表示部１ｂは、カメラ本体部１ａの画像データを適当なタイミングで取得することが可能である。この動作は、カメラ本体部１ａの動作とは独立して行われる。以下、モニター表示部１ｂがカメラ本体部１ａのデータを取得する処理について説明する。
【０１５８】
モニター表示部１ｂを操作している撮影者もしくは撮影者とは異なる別の操作者は、モニターＳＷ１９及びモニター２０に表示されたＧＵＩを介してカメラ本体部１ａの不揮発性メモリー６に記憶されたデータの表示を指示する。
【０１５９】
ユーザからの指示を受けると、リアプロセッサー１２はカメラ本体部１ａに対して表示データ取得要求を送信する（タイミング２６０）。
【０１６０】
モニター表示部１ｂからの表示データ取得要求を受信すると、フロントは不揮発性メモリー６に記憶されているデータのサムネイルデータ及びＩＤを通信プロトコルの変換を行った上でモニター表示部１ｂに転送する（タイミング２６２）。転送されるサムネイルデータは、画像処理を行うタイミング（タイミング２５４）でフロントプロセッサー５が予め作成していてもよいし、表示データ取得要求を受信してからフロントプロセッサー５が作成してもよい（タイミング２６１）。予め作成している場合にはタイミング２６１は省略される。
【０１６１】
リアプロセッサー１２はカメラ本体部１ａからサムネイルデータを受信すると（タイミング２６３）、サムネイルデータをリアバッファメモリー１４に記憶する（タイミング２６４）。
【０１６２】
書き込み処理が完了すると、リアプロセッサー１２はリアバッファメモリー１４からサムネイルデータを読み出し（タイミング２６５）、モニター２０に画像選択画面として表示する（タイミング２６６）。表示の形態は一画面に１つのサムネイルデータを表示し、ユーザの操作に応じて表示データを切り替える形態でもよいし、一画面に複数のサムネイルデータを表示するマルチ画像表示の形態でもよい。
【０１６３】
ユーザはモニター２０に表示されたサムネイルデータのうち、所望のものを選択する。ここでは、例えば２駒目の画像データが選択されたものとする。ユーザによる選択を検知すると、リアプロセッサー１２は選択されたサムネイルデータに対応するＩＤを読み出し、ＩＤに対応する画像データをモニター表示部１ｂに転送するようカメラ本体部１ａに対して要求する（タイミング２６７）。本実施形態では２駒目の画像データを取得する要求を送信しているが、一度に複数の画像データを要求してもよい。
【０１６４】
カメラ本体部１ａのフロントプロセッサー５は、転送要求を受信すると、上記不揮発性メモリー６から転送要求のあったデータを読み出す（タイミング２６８）。
【０１６５】
そしてワイヤレス転送するためのプロトコル変換処理を行った上でカードＩ／Ｆ８を介して接続されているワイヤレス通信カード２２を経由し、画像データの転送を行う（タイミング２６９）。
【０１６６】
モニター表示部１ｂはこのワイヤレス通信でカメラ本体部１ａから送信されてくるデータをワイヤレス通信部１７を介して受信する（タイミング２７０）。
【０１６７】
リアプロセッサー１２は上記受信したデータに対してのプロトコル通信処理を行った上で、リアバッファメモリー１４に受信データを記憶する（タイミング２７１）。
【０１６８】
書込み処理が完了すると、リアプロセッサー１２は直ちにこのデータの読み出し処理を行う（タイミング２７２）。
【０１６９】
そしてリアプロセッサー１２にてファイルシステム管理などの処理を行い（タイミング２７３）、その結果を不揮発性メモリー１３またはメモリーカード１６に書き込む（タイミング２７４）。
【０１７０】
さらにリアプロセッサー１２は、受信した画像データをモニター２０に表示する。
【０１７１】
なお、モニター表示部１ｂに転送した画像データは不揮発性メモリー６から削除してもよい。この処理を行う場合、リアプロセッサー１２は、受信した画像を不揮発性メモリー１３またはメモリーカード１６に書き込んだ後、画像データのＩＤ及び書き込みの完了を通知するデータを関連付けてカメラ本体部１ａに送信する。書き込み完了の通知を受けたフロントプロセッサー５は、関連付けられたＩＤに基づいて不揮発性メモリー６から画像データを削除する。なお、ＩＤは画像データを特定するものであればよく、例えばファイル名などが用いられる。
【０１７２】
上記のような削除処理は、不揮発性メモリー６が、メモリーカード９及び１６と比較して容量が大きくない場合には特に有効である。ワイヤレス転送が成功し、大容量のメモリーカードに記憶されたことが確認された時点で画像データが削除されることで、不揮発性メモリー６の容量を有効に使うことが出来る。
【０１７３】
以上述べたように、本実施形態ではカメラ本体部１ａとモニター表示部１ｂが分離した状態にある場合には、画像データをカメラ本体部１ａにのみ記憶する。そして必要に応じてモニター表示部１ｂがカメラ本体部１ａから画像データ取得する構成とした。
【０１７４】
この構成により、カメラ本体部１ａとモニター表示部１ｂが分離してもカメラ本体部１ａには、例えば撮影により得られた画像データを記憶するといった、カメラ性能を維持させることが可能となる。
【０１７５】
また、モニター表示部１ｂは、必要な画像データのみをワイヤレス転送にて取得するため、転送されるデータ量の増大を抑えることができる。
また、カメラ本体部１ａが撮影中かどうかにかかわらず、適当なタイミングでもってカメラ本体部１ａに記憶している画像を選択して、モニター表示部１ｂの不揮発性メモリー１３に転送する処理を実現出来る。
【０１７６】
＜第４の実施形態＞
以下、第４の実施形態における処理について説明する。本実施形態の基本的な構成は前述した実施形態と共通する部分が多いため、共通の部分については説明を省略し、本実施形態に特有の部分について説明する。
【０１７７】
図１２は本発明の別の実施形態を示した図であり、この実施形態ではカメラ本体部１ａにもモニター表示部１ｂのいずれにもワイヤレス通信部は内蔵されていない。
【０１７８】
この場合、カメラ本体部１ａはカードＩ／Ｆ８を介してワイヤレス通信カード２２が接続されている。また、モニター表示部１ｂはカードＩ／Ｆ１５を介してワイヤレス通信カード４０が接続されている。本実施形態では、このワイヤレス通信カード２２及び３８を介して上述したワイヤレスでの画像転送を実現する。
【０１７９】
この構成の場合、カメラ本体部１ａにもモニター表示部１ｂにもワイヤレス通信部が内蔵されていない。従って、ユーザはカメラ本体部１ａとモニター表示部１ｂを分離して撮影を行う場合のみ、カードタイプの通信デバイスをカードＩ／Ｆ８及び１５に差し込む。この場合には、画像データはカメラ本体部１ａ内の不揮発性メモリー６及びモニター表示部１ｂ内の不揮発性メモリー１３に記憶される。
【０１８０】
この構成では、分離時にのみ通信デバイスを接続すればよいため、一体時におけるデバイスの小型化・コストダウンを図ることができる。
【０１８１】
また、カメラ本体部１ａ及びモニター表示部１ｂに不揮発性メモリー６及び１３を備えたことにより、カードＩ／Ｆ８及び１５が通信デバイスのために用いられていても、画像データを記憶することが可能である。
【０１８２】
図１３は図８及び図９で示した形態の改良に関するものである。図１３では、モニター表示部１ｂをカメラ本体部１ａから分離した場合に電源を供給するための外部バッテリー供給手段３０内に、ワイヤレス通信部３４及び外部アンテナ３５を設けた構成を示している。
【０１８３】
モニター表示部１ｂはワイヤレス通信部をもたない。カメラ本体部１ａと一体となっている場合はカメラ本体部１ａに内蔵されているワイヤレス通信部２４を使って外部ＰＣ２１と接続する。カメラ本体部１ａとモニター表示部１ｂが分離した場合には、外部バッテリー供給手段３０内のワイヤレス通信部３４を使ってカメラ本体部１ａと画像データのやりとりを行う構成となる。
【０１８４】
外部バッテリー供給手段３０内にワイヤレス通信部３４を設ける構成としたことで、カードＩ／Ｆ１５をメモリーカード１６の接続のために用いることが可能となる。また、ユーザが無線通信のデバイスと外部バッテリーを別々に接続する手間が省ける。
【０１８５】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【０１８６】
この場合、記憶媒体から読み出されたプログラムコード自体が前述した実施の形態の機能を実現することになり、そのプログラムコード及び該プログラムコードを記憶した記憶媒体は本発明を構成することになる。
【図面の簡単な説明】
【０１８７】
【図１】カメラのシステムを表した構成図である。
【図２】カメラをカメラ本体部とモニター表示部に分離した場合のシステムを表した構成図である。
【図３】カメラをカメラ本体部とモニター表示部に分離した場合のレイアウト図である。
【図４】カメラのモニター表示部に外部バッテリー部を接続する場合のレイアウト図である。
【図５】カメラのカメラ本体部またはモニター表示部が有するワイヤレス通信部の内部構成図である。
【図６】カメラの撮影制御のタイミングを表したタイミングチャートである。
【図７】カメラをカメラ本体部とモニター表示部に分離した場合の撮影制御のタイミングを表したタイミングチャートである。
【図８】カメラをカメラ本体部とモニター表示部に分離した場合のシステムを表した構成図である。
【図９】カメラをカメラ本体部とモニター表示部に分離した場合のシステムを表した構成図である。
【図１０】カメラをカメラ本体部とモニター表示部に分離した場合の撮影制御のタイミングを表したタイミングチャートである。
【図１１】カメラをカメラ本体部とモニター表示部に分離した場合の撮影制御のタイミングを表したタイミングチャートである。
【図１２】カメラをカメラ本体部とモニター表示部に分離した場合のシステムを表わした構成図である。
【図１３】カメラをカメラ本体部とモニター表示部に分離した場合のシステムを表わした構成図である。
【図１４】記憶先設定画面を表わした図である。
【図１５】モード切替え処理を表わしたフローチャートである。
【図１６】従来のカメラシステムを表した図である。
【図１】
0004781309.tif 000002
【図２】
0004781309.tif 000003
【図３】
0004781309.tif 000004
【図４】
0004781309.tif 000005
【図５】
0004781309.tif 000006
【図６】
0004781309.tif 000007
【図７】
0004781309.tif 000008
【図８】
0004781309.tif 000009
【図９】
0004781309.tif 000010
【図１０】
0004781309.tif 000011
【図１１】
0004781309.tif 000012
【図１２】
0004781309.tif 000013
【図１３】
0004781309.tif 000014
【図１４】
0004781309.tif 000015
【図１５】
0004781309.tif 000016
【図１６】
0004781309.tif 000017